(57)【要約】【課題】部品点数の増加を抑えつつユーザに車両シートの状態変更を報知する車両シート制御装置を提供する。【解決手段】車両シート制御装置２０は、モータ２１ａ，２２ａを有して該モータ２１ａ，２２ａの駆動力によって車両シート１０の状態を変更する駆動部２１，２２と、モータ２１ａ，２２ａに供給する駆動電力をＰＷＭ制御により調整するＥＣＵ２３，２４と、を有する。ＥＣＵ２３，２４は、駆動部２１，２２による車両シート１０の状態変更に際し、前記ＰＷＭ制御における制御周波数に可聴域の周波数を含ませて前記モータ２１ａ，２２ａから可聴域の音を生じさせる発音動作を行わせる。【選択図】図１
2019172222.tif 000002
【特許請求の範囲】
【請求項１】
モータを有して該モータの駆動力によって車両シートの状態を変更するシート状態変更部と、前記モータに供給する駆動電力をＰＷＭ制御により調整するＰＷＭ制御部と、を有し、
前記ＰＷＭ制御部は、前記シート状態変更部による前記車両シートの状態変更に際し、前記ＰＷＭ制御における制御周波数に可聴域の周波数を含ませて前記モータから可聴域の音を生じさせる発音動作を行わせることを特徴とする車両シート制御装置。
【請求項２】
前記ＰＷＭ制御部は、前記シート状態変更部による前記車両シートの状態の変更開始時に前記発音動作を行わせることを特徴とする請求項１に記載の車両シート制御装置。
【請求項３】
前記ＰＷＭ制御部は、前記シート状態変更部による前記車両シートの状態の変更終了時に前記発音動作を行わせることを特徴とする請求項１又は２に記載の車両シート制御装置。
【請求項４】
前記車両シートの後方にユーザが存在するか否かを検出するユーザ存在検出部を有し、
前記ＰＷＭ制御部は、前記シート状態変更部による前記車両シートの後方への移動に際し、前記ユーザ存在検出部によって前記車両シートの後方に前記ユーザが存在する場合に前記発音動作を行わせることを特徴とする請求項１〜３の何れか１項に記載の車両シート制御装置。
【請求項５】
前記ユーザ存在検出部は、前記車両シートに搭載された接触検出センサであり、
前記ＰＷＭ制御部は、前記シート状態変更部による前記車両シートの後方への移動に際し、前記接触検出センサによって前記ユーザが接触したと検出した場合に前記ユーザが存在するとして前記発音動作を行わせることを特徴とする請求項４に記載の車両シート制御装置。
【請求項６】
前記ＰＷＭ制御部は、前記モータに対して異常な負荷が作用した場合に前記発音動作を行わせることを特徴とする請求項１〜５の何れか１項に記載の車両シート制御装置。
【請求項７】
前記モータは、前記車両シート内に複数設けられ、
前記ＰＷＭ制御部は、前記車両シート内に設けられる複数の前記モータから可聴域の音を生じさせる発音動作を行わせることを特徴とする請求項１〜６の何れか１項に記載の車両シート制御装置。
【請求項８】
請求項１〜７の何れか１項に記載の前記車両シート制御装置を車両に設けられる複数の前記車両シートのそれぞれに設けることを特徴とする車両シート制御システム。
【発明の詳細な説明】
【技術分野】
【０００１】
本発明は、車両シート制御装置及び車両シート制御システムに関する。
【背景技術】
【０００２】
従来、前後のスライド移動やシートバックの傾動等の車両シートの状態を変更する車両シート制御装置が知られている（例えば特許文献１参照）。
特許文献１の車両シート制御装置では、車両シートの前後方向への移動に際し、ブザーによってユーザに移動の旨を報知するようになっている。また、このような車両シート制御装置では、駆動源としてのモータ（特許文献１ではアクチュエータ）を制御することで車両シートを前後方向に移動している。
【先行技術文献】
【特許文献】
【０００３】
【特許文献１】特開２００８−７４３５９号公報
【発明の概要】
【発明が解決しようとする課題】
【０００４】
ところで、上記のような車両シート制御装置では、車両シートを後方に移動させる際、ブザーによって周囲に移動の旨を報知するようになっている。しかしながら、ブザーを設ける必要があり、部品点数の増加が懸念される。
【０００５】
本発明は、上記課題を解決するためになされたものであって、その目的は、部品点数の増加を抑えつつユーザに車両シートの状態変更を報知する車両シート制御装置及び車両シート制御システムを提供することにある。
【課題を解決するための手段】
【０００６】
上記課題を解決する車両シート制御装置は、モータを有して該モータの駆動力によって車両シートの状態を変更するシート状態変更部と、前記モータに供給する駆動電力をＰＷＭ制御により調整するＰＷＭ制御部と、を有し、前記ＰＷＭ制御部は、前記シート状態変更部による前記車両シートの状態変更に際し、前記ＰＷＭ制御における制御周波数に可聴域の周波数を含ませて前記モータから可聴域の音を生じさせる発音動作を行わせる。
【０００７】
上記態様によれば、シート状態変更部による車両シートの状態変更に際し、ＰＷＭ制御における制御周波数に可聴域の周波数を含ませてモータから可聴域の音を生じさせる発音動作を行わせることでユーザに車両シートの状態変更を報知する。そのため、例えばブザー等の他の部材を用いることなく、車両シートの状態を変更するに際し必要となる駆動源であるモータ自身を以て発音動作することで部品点数の増加が抑えられる。
【０００８】
上記車両シート制御装置において、前記ＰＷＭ制御部は、前記シート状態変更部による前記車両シートの状態の変更開始時に前記発音動作を行わせることが好ましい。
上記態様によれば、シート状態変更部による車両シートの状態の変更開始時に発音動作が実施されることで、ユーザに対して事前に車両シートの状態変更が行われる旨を報知できる。このように、ユーザに対して事前に車両シートの状態変更が行われる旨を報知することで、ユーザにとって車両シートの状態変更が急なものであることが抑えられ、車両シートの状態変更に伴う各種準備（車両シートからの退避行動など）ができ、利便性を向上できる。
【０００９】
上記車両シート制御装置において、前記ＰＷＭ制御部は、前記シート状態変更部による前記車両シートの状態の変更終了時に前記発音動作を行わせることが好ましい。
上記態様によれば、ユーザに対して車両シートの状態変更が終了した旨を報知することができる。このように、ユーザに対して車両シートの状態変更が完了した旨を報知することで、それ以上車両シートが状態変更することがない旨をユーザが認識でき、利便性を向上できる。
【００１０】
上記車両シート制御装置において、前記車両シートの後方にユーザが存在するか否かを検出するユーザ存在検出部を有し、前記ＰＷＭ制御部は、前記シート状態変更部による前記車両シートを後方への移動に際し、前記ユーザ存在検出部によって前記車両シートの後方に前記ユーザが存在する場合に前記発音動作を行わせることが好ましい。
【００１１】
上記態様によれば、車両シートを後方への移動に際し、車両シートの後方に存在するユーザに対して車両シートが移動する旨を報知できる。このように、後方に存在するユーザに対して車両シートが移動する旨を報知することでユーザにとって車両シートの移動が急なものであることが抑えられ、車両シートの移動に伴う各種準備（車両シートからの退避行動など）ができ、利便性を向上できる。
【００１２】
上記車両シート制御装置において、前記ユーザ存在検出部は、前記車両シートに搭載された接触検出センサであり、前記ＰＷＭ制御部は、前記シート状態変更部による前記車両シートを後方への移動に際し、前記接触検出センサによって前記ユーザが接触したと検出した場合に前記ユーザが存在するとして前記発音動作を行わせることが好ましい。
【００１３】
上記態様によれば、接触検出センサによってユーザとの接触が検出された場合に発音動作を行わせることで、ユーザに車両シートが移動する旨を報知できる。これにより、車両シートの接触した旨を報知することで、ユーザはその旨を認識することが可能となり、その後の待避動作が可能となり、利便性の面で向上できる。
【００１４】
上記車両シート制御装置において、前記ＰＷＭ制御部は、前記モータに対して異常な負荷が作用した場合に前記発音動作を行わせることが好ましい。
上記態様によれば、モータに対して異常な負荷が作用した場合に発音動作を行わせることで、その旨をユーザに報知することができる。このように、モータに対して異常な負荷が作用した場合に発音動作を行わせることで、ユーザに対して異常がある旨を報知でき、ユーザは修理の必要がある旨を認識することが可能となり、利便性の面で向上できる。
【００１５】
上記車両シート制御装置において、前記モータは、前記車両シート内に複数設けられ、前記ＰＷＭ制御部は、前記車両シート内に設けられる複数の前記モータから可聴域の音を生じさせる発音動作を行わせることが好ましい。
【００１６】
上記態様によれば、複数のモータから発音動作を行わせることができる。すなわち、複数のモータを用いることで、１つの車両シート内に複数の音源を備えて音のバリエーションを増やすことが可能となる。このように、複数の音源を備えて音のバリエーションを増やすことで、そのバリエーションの違いからユーザに対して車両シートがどのような状態変更をするのか報知することが可能となり、利便性を向上できる。
【００１７】
また、上記課題を解決する車両シート制御システムは、上記何れかに記載の車両シート制御装置を車両に設けられる複数の前記車両シートのそれぞれに設ける。
上記態様によれば、部品点数の増加を抑えつつユーザに車両シートの状態変更を報知することができる。また、車両シート毎に車両シート制御装置を設けることで、各車両シートに設けられたモータから発音動作させることで、どの車両シートの状態が変更されるのかをユーザに報知でき、利便性向上に寄与できる。
【発明の効果】
【００１８】
本発明の車両シート制御装置及び車両シート制御システムによれば、部品点数の増加を抑えつつユーザに車両シートの状態変更を報知することができる。
【図面の簡単な説明】
【００１９】
【図１】一実施形態における車両シート制御装置を有する車両シートの概略構成図。
【図２】同実施形態における車両シート制御装置のフローチャート。
【図３】変形例における車両シート制御装置を有する車両シートの概略構成図。
【図４】同変形例における車両シート制御装置のフローチャート。
【図５】変形例における車両シート制御システムについて説明するための説明図。
【発明を実施するための形態】
【００２０】
以下、車両シート制御装置を有する車両シートの一実施形態について説明する。
図１に示すように、本実施形態の車両シート１０は、乗員が着座可能なシートクッション１１と、乗員の背中を支持可能なシートバック１２と、乗員の頭部を支持可能なヘッドレスト１３とを有する。本例の車両シート１０は、シートクッション１１、シートバック１２及びヘッドレスト１３の内部に図示しないフレームが設けられ、これらのフレームによって例えば車両シート１０の形状維持がなされている。
【００２１】
また、車両シート１０は、車両シート制御装置２０を備える。
車両シート制御装置２０は、駆動部２１，２２と、ＰＷＭ制御部としてのＥＣＵ２３，２４とを有する。
【００２２】
駆動部２１，２２は、ＥＣＵ２３，２４からの制御信号に応じてモータ２１ａ，２２ａが駆動されることにより車両シート１０の状態（姿勢や位置）を変更するものである。また、駆動部２１，２２は、図示しない機構部を有する。車両シート１０の姿勢や位置の変更例としては、本例では車両シート１０の前後位置、シートバック１２の傾動角度（リクライニング角度）などが挙げられる。なお、これらは一例であって、その他の位置を変更するものであってもよい。
【００２３】
駆動部２１は、車両シート１０を前後方向の位置を変更するためのものである。駆動部２２は、車両シート１０のシートバック１２の傾き姿勢（リクライニング角度）を調整するためのものである。
【００２４】
ＥＣＵ２３，２４は、モータ２１ａ，２２ａを制御するものであり、例えば１つの機能として各モータ２１ａ，２２ａに供給する駆動電力をＰＷＭ制御により調整を行う。また、ＥＣＵ２３，２４は、モータ２１ａ，２２ａによって車両シート１０の姿勢や位置の変更を行う通常動作時にはＰＷＭ制御における制御周波数を非可聴域（例えば２０ｋＨｚなど）で動作させる。ＥＣＵ２３，２４は、モータ２１ａ，２２ａ自身を以て発音してユーザに報知を行う発音動作時にはＰＷＭ制御における制御周波数を可聴域（例えば１ｋＨｚや５００Ｈｚなど）で動作させる。なお、ＰＷＭ制御における制御周波数は一定でなくてもよく、エンベロープ制御を実施して可変させるようにしてもよい。
【００２５】
ＥＣＵ２３，２４は、マスターＥＣＵ３０と電気的に接続されている。マスターＥＣＵ３０には、ユーザによるスイッチ操作に伴う操作信号が入力されるようになっている。操作信号の一例としては、シートバック１２を傾動動作（リクライニング動作）させる旨の信号や、車両シート１０を前後方向にスライド動作させる旨の信号などが挙げられる。
【００２６】
次に、本実施形態の車両シート制御装置２０による制御例（作用）を説明する。
例えば、シートバック１２を後方に傾動させる動作と車両シート１０を後方にスライド移動させる動作との少なくとも一方の移動を指示する前記操作信号が外部からマスターＥＣＵ３０に対して入力されると、マスターＥＣＵ３０は、対象となるＥＣＵ２３，２４に対して動作を指示する制御信号を出力する。
【００２７】
ＥＣＵ２３，２４は、マスターＥＣＵ３０から出力された制御信号が入力されると、その制御信号に基づいて駆動部２１，２２（モータ２１ａ，２２ａ）を制御して車両シート１０の状態を変更する。この際、本例では車両シート１０の状態の変更開始時と状態の変更終了時とで前述した発音動作を実施するようになっている。
【００２８】
ここで、例えばＥＣＵ２３に対して車両シート１０を後方にスライド動作させる旨の制御信号が入力された場合の動作について図２を用いて説明する。
図２に示すように、ＥＣＵ２３は、車両シート１０を後方にスライド動作させる旨の制御信号が入力された場合、先ず、モータ音制御を実施する（ステップＳ１０１）。具体的には、ＥＣＵ２３によってモータ２１ａのＰＷＭ制御における制御周波数を可聴域で動作（発音動作）させる。このとき、ＥＣＵ２３は、ＰＷＭ制御によってモータ２１ａに供給される駆動電力（印加電圧）を調整し、モータ２１ａが回転動作しない状態、すなわち車両シート１０が後方にスライド動作しないようにする。
【００２９】
ＥＣＵ２３は、前述のモータ音制御開始から所定時間Ｔ１経過したか否かを判定する（ステップＳ１０２）。ＥＣＵ２３は、所定時間Ｔ１経過するまで（ステップＳ１０２：ＮＯ）、ステップＳ１０１のモータ音制御、すなわち発音動作を実施する。
【００３０】
ＥＣＵ２３は、所定時間Ｔ１経過したと判定すると（ステップＳ１０２：ＹＥＳ）、モータ２１ａを制御して車両シート１０を後方に動作させる（ステップＳ１０３）。このとき、ＥＣＵ２３は、ＰＷＭ制御によってモータ２１ａに供給される駆動電力（印加電圧）を例えばバッテリ電圧（約１２Ｖ）として、モータ２１ａを回転駆動させる。
【００３１】
ＥＣＵ２３は、車両シート１０の後方への動作（状態の変更）が終了時、モータ音制御を実施する（ステップＳ１０４）。具体的には、ＥＣＵ２３によってモータ２１ａのＰＷＭ制御における制御周波数を可聴域で動作（発音動作）させる。このとき、ＥＣＵ２３は、ＰＷＭ制御によってモータ２１ａに供給される駆動電力（印加電圧）を調整し、モータ２１ａが回転動作しない状態、すなわち車両シート１０が後方にスライド動作しないようにする。なお、本ステップＳ１０４によるモータ２１ａによる発音動作時と、前述したステップＳ１０２におけるモータ２１ａによる発音動作時とで、周波数を変更してもよい。
【００３２】
ＥＣＵ２３は、前述のモータ音制御開始から所定時間Ｔ２経過したか否かを判定する（ステップＳ１０５）。ＥＣＵ２３は、所定時間Ｔ２経過するまで（ステップＳ１０５：ＮＯ）、ステップＳ１０４のモータ音制御、すなわち発音動作を実施する。
【００３３】
そして、ＥＣＵ２３は、所定時間Ｔ２経過したと判定すると（ステップＳ１０５：ＹＥＳ）、モータ２１ａによる発音動作を終了する。
本実施形態の効果を記載する。
【００３４】
（１）シート状態変更部としての駆動部２１，２２による車両シート１０の状態変更に際し、ＰＷＭ制御における制御周波数に可聴域の周波数を含ませてモータ２１ａ，２２ａから可聴域の音を生じさせる発音動作を行わせることでユーザに車両シート１０の状態変更を報知する。そのため、例えばブザー等の他の部材を用いることなく、車両シート１０の状態を変更するに際し必要となる駆動源であるモータ２１ａ，２２ａ自身を以て発音動作することで部品点数の増加が抑えられる。また、スピーカやブザー等を用いること無く発音動作が実施できるため、省配線化やコスト低減に寄与できる。
【００３５】
（２）駆動部２１，２２による車両シート１０の状態の変更開始時に発音動作が実施されることで、ユーザに対して事前に車両シート１０の状態変更が行われる旨を報知できる。このように、ユーザに対して事前に車両シート１０の状態変更が行われる旨を報知することで、ユーザにとって車両シート１０の状態変更が急なものであることが抑えられ、車両シート１０の状態変更に伴う各種準備（車両シート１０からの退避行動など）ができ、利便性を向上できる。
【００３６】
（３）駆動部２１，２２による車両シート１０の状態の変更終了時に発音動作が実施されることで、ユーザに対して車両シート１０の状態変更が完了した旨を報知することができる。このように、ユーザに対して車両シート１０の状態変更が完了した旨を報知することで、それ以上車両シート１０が状態変更することがない旨をユーザが認識でき、利便性を向上できる。
【００３７】
（４）車両シート１０を後方への移動に際し、車両シート１０の後方に存在するユーザに対して車両シート１０が移動する旨を報知できる。このように、後方に存在するユーザに対して車両シート１０が移動する旨を報知することでユーザにとって車両シート１０の移動が急なものであることが抑えられ、車両シート１０の移動に伴う各種準備（車両シート１０からの退避行動など）ができ、利便性を向上できる。
【００３８】
（５）複数のモータ２１ａ，２２ａから発音動作を行わせることができる。すなわち、複数のモータ２１ａ，２２ａを用いることで、１つの車両シート１０内に複数の音源を備えて音のバリエーションを増やすことが可能となる。このように、複数の音源を備えて音のバリエーションを増やすことで、そのバリエーションの違いからユーザに対して車両シート１０がどのような状態変更をするのか報知することが可能となり、利便性を向上できる。
【００３９】
なお、上記実施形態は、以下のように変更してもよい。
・上記実施形態では、車両シート１０の状態の変更開始時と車両シート１０の状態の変更終了時との両方で駆動部２１，２２（モータ２１ａ，２２ａ）による発音動作を実施する構成としたが、これに限らない。例えば、車両シート１０の状態の変更開始時のみ駆動部２１，２２（モータ２１ａ，２２ａ）による発音動作を実施する構成や、車両シート１０の状態の変更終了時のみ駆動部２１，２２（モータ２１ａ，２２ａ）による発音動作を実施する構成を採用してもよい。
【００４０】
・上記実施形態では特に言及していないが、可聴域での動作と非可聴域での動作（モータ２１ａ非回転動作）とを組み合わせて発音する期間と発音しない期間とを設け、間欠的に発音させるようにしてもよい。一例として、車両シート１０の状態の変更開始時に連続的に可聴域で発音動作させ、車両シート１０の状態の変更終了時に間欠的に可聴域で発音動作させるようにしてもよい。なお、これらは一例であって、適宜変更可能である。
【００４１】
・図３に示すように、車両シート１０のシートバック１２の後方にユーザが存在するか否かを検出するユーザ存在検出部４０を備える構成を採用してもよい。ユーザ存在検出部４０は、一例として、車両シート１０のシートバック１２の後面側に設けられる接触検出センサや、車両シート１０の後方に位置する後部の車両シート１０に設けられる接触検出センサや、車両シート１０の後方を撮像するカメラなどが挙げられる。
【００４２】
ユーザ存在検出部４０は、マスターＥＣＵ３０と電気的に接続される。このため、ユーザ存在検出部４０によるユーザの存在検出に関する情報は、マスターＥＣＵ３０を介して各ＥＣＵ２３，２４に入力されるようになっている。なお、ユーザ存在検出部４０を各ＥＣＵ２３，２４に直接電気的に接続することでマスターＥＣＵ３０を介さずとも前記ユーザの存在検出に関する情報を入力することが可能である。
【００４３】
上記変形例について図４を用いて車両シート１０を後方にスライド動作させる旨の制御信号がＥＣＵ２３に入力された場合の動作を説明する。
図４に示すように、ＥＣＵ２３は、車両シート１０を後方にスライド動作させる旨の制御信号が入力された場合、先ず、マスターＥＣＵ３０を介して得られるユーザ存在検出部４０で検出されるユーザの存在検出に関する情報から車両シート１０の後方にユーザが存在するか否かを判定する（ステップＳ１０６）。
【００４４】
車両シート１０の後方にユーザが存在しないと判定した場合（ステップＳ１０６：ＮＯ）、ＥＣＵ２３は、モータ２１ａを制御して車両シート１０を後方に動作させる（ステップＳ１０３）。このとき、ＥＣＵ２３は、ＰＷＭ制御によってモータ２１ａに供給される駆動電力（印加電圧）を例えばバッテリ電圧（約１２Ｖ）として、モータ２１ａを回転駆動させる。
【００４５】
一方、車両シート１０の後方にユーザが存在すると判定した場合（ステップＳ１０６：ＹＥＳ）、ＥＣＵ２３は、モータ音制御を実施する（ステップＳ１０１）。具体的には、ＥＣＵ２３によってモータ２１ａのＰＷＭ制御における制御周波数を可聴域で動作（発音動作）させる。このとき、ＥＣＵ２３は、ＰＷＭ制御によってモータ２１ａに供給される駆動電力（印加電圧）を調整し、モータ２１ａが回転動作しない状態、すなわち車両シート１０が後方にスライド動作しないようにする。
【００４６】
ＥＣＵ２３は、前述のモータ音制御開始から所定時間Ｔ１経過したか否かを判定する（ステップＳ１０２）。ＥＣＵ２３は、所定時間Ｔ１経過するまで（ステップＳ１０２：ＮＯ）、ステップＳ１０１のモータ音制御、すなわち発音動作を実施する。
【００４７】
ＥＣＵ２３は、所定時間Ｔ１経過したと判定すると（ステップＳ１０２：ＹＥＳ）、モータ２１ａを制御して車両シート１０を後方に動作させる（ステップＳ１０３）。
上述したように、車両シート１０を後方への移動に際し、車両シート１０の後方に存在するユーザに対して車両シート１０が移動する旨を報知できる。また、車両シート１０の後方にユーザが存在しない場合には、発音動作を実施しないため、モータ２１ａ（２２ａ）からの音の発生が抑えられることとなる。
【００４８】
また、前記ユーザ存在検出部４０として、例えばシートバック１２の後面側に設けた接触検出センサで構成した場合、接触検出センサによってユーザとの接触が検出するまで車両シート１０を後方にスライド移動させ、ユーザとの接触が検出された場合に車両シート１０の後方へのスライド移動を停止させるとともにモータ２１ａ（２２ａ）によって発音動作させるようにしてもよい。これによって、車両シート１０の移動を操作したユーザに接触由来の車両シート１０の停止である旨を報知することができる。このように、接触由来の車両シート１０の停止である旨を報知することで、ユーザはその旨を認識することが可能となり、利便性の面で向上できる。
【００４９】
・上記実施形態では、シートクッション１１とシートバック１２との両方に駆動部２１，２２を設ける構成としたが、これに限らない。例えばシートクッション１１のみに駆動部２１を設ける構成やシートバック１２のみに駆動部２２を設ける構成を採用してもよい。
【００５０】
・上記実施形態では、例えば車両シート１０を前後方向にスライド動作させる駆動部２１のモータ２１ａによって、車両シート１０を後方に移動させる際に発音動作を実施する構成としたが、シートバック１２の傾動動作や車両シート１０の前方への移動時に発音動作を実施する構成を採用してもよい。
【００５１】
・上記実施形態では特に言及していないが、モータ２１ａ，２２ａに対して異常な負荷が作用した場合に発音動作を行わせる構成を採用してもよい。このような構成とすることで、その旨をユーザに報知することができる。モータ２１ａ，２２ａに対して異常な負荷が作用する一例としては、駆動部２１，２２を構成する機構部等が破損した場合に、モータ２１ａ，２２ａに対して車両シート１０の状態を変更するための駆動電力を供給しているにも関わらずモータ２１ａ，２２ａが回転しない場合などが挙げられる。このように、モータ２１ａ，２２ａに対して異常な負荷が作用した場合に発音動作を行わせることで、ユーザに対して異常がある旨を報知でき、ユーザは修理の必要がある旨を認識することが可能となり、利便性の面で向上できる。
【００５２】
・上記実施形態では特に言及していないが、図５に示すように例えば車両Ｃに複数搭載される車両シート１０毎に車両シート制御装置２０を設けて車両シート制御システムを構成してもよい。このような構成とすることで、各車両シート１０に設けられたモータから発音動作させることで、どの車両シート１０の状態が変更されるのかをユーザに報知でき、利便性向上に寄与できる。
【００５３】
・上記実施形態では特に言及していないが、車両シート１０にユーザの脚部を支持するオットマンやユーザの腕を支持するアームレストを設ける構成を採用してもよい。さらに、オットマンやアームレストを、モータを有する駆動部によって状態を変更（駆動）させる構成を採用してもよい。そして、オットマンやアームレストの状態を変更させるに際してモータによって発音動作を実施するようにしてもよい。
【００５４】
・上記実施形態では特に言及していないが、例えばモータ２１ａ，２２ａから可聴域の音を生じさせる発音動作を停止（オフ）させる機能を有してもよい。この場合、例えばユーザがスイッチ等を操作することで発音動作のオン・オフを切り替えられるようにすることで、利便性向上に寄与できる。
【００５５】
・上記実施形態並びに各変形例は適宜組み合わせてもよい。
【符号の説明】
【００５６】
１０…車両シート、２０…車両シート制御装置、２１，２２…駆動部（シート状態変更部）、２１ａ，２２ａ…モータ、２３，２４…ＥＣＵ（ＰＷＭ制御部）、４０…ユーザ存在検出部、Ｃ…車両。
【図１】
2019172222.tif 000003
【図２】
2019172222.tif 000004
【図３】
2019172222.tif 000005
【図４】
2019172222.tif 000006
【図５】
2019172222.tif 000007